(57)【要約】【課題】支柱に貫通孔を設けることなく、簡易な構造で横桟材を支柱に固着でき、しかも施工後の見栄えも良い横桟材の取付構造を提供する。【解決手段】階段の手摺８を支持する支柱５に止着するための固定具Ａで横桟材４を受止めて固定する横桟材４の取付構造である。固定具Ａは、内壁１０‘と、中間部を開口１０ｅさせた外壁１０とを対向して形成し、上方を開放した凹所１０ｂを有した断面略コ字状に形成された本体部１と、上記横桟材４を上記凹所１０ｂに嵌入させた状態で、本体部１の上方より被せるキャップ体２とを組み合わせて構成され、固定手段６を上記外壁１０の上記開口１０ｅより上記支柱５に埋入させて、該支柱５に固着させる構造にしている。【選択図】図１
2007085078.tif 000002
【特許請求の範囲】
【請求項１】
階段の手摺を支持する支柱に止着した固定具で横桟材を受止めて固定する横桟材の取付構造であって、
上記固定具は、
内壁と、中間部を開口させた外壁とを対向して形成し、上方を開放した凹所を有した断面略コ字状に形成された本体部と、
上記横桟材を上記凹所に嵌入させた状態で、上記本体部の上方に被せるキャップ体とを組み合わせて構成され、
固定手段を上記外壁の上記開口より上記支柱に埋入させて、該支柱に固着させる構造にしている、階段手摺の横桟材の取付構造。
【請求項２】
請求項１において、
上記本体部と、上記キャップ体とは、それぞれの両側終端を対応させて開口させており、上記キャップ体の開口端には、覆片が着脱可能に装着される構造にしている、階段手摺の横桟材の取付構造。
【請求項３】
請求項１または２において、
上記支柱は溝部を形成しており、
上記本体部の内壁には、ネジ導入孔を貫通形成し外方に突出して、上記支柱の溝部に嵌入される突起部を設けている、階段手摺の横桟材取付構造。
【発明の詳細な説明】
【技術分野】
【０００１】
本発明は、階段の手摺を支持する支柱に固定される横桟材の取付構造に関する。
【背景技術】
【０００２】
一般に、住宅の階段は、図６で示すように、踏み台９に沿って、階下と階上に複数の支柱５が間隔をあけて立設され、これら支柱５、５の上端に手摺８を架設して支持している。
【０００３】
ところが、支柱５、５の間隔が大きい場合には、支柱５、５の間から子供等が落下する危険があるうえ、強度的にも弱いため、手摺８の下方に横桟材４を設けているのが通例である。なお、横桟材以外にも、ワイヤー、縦桟材、パネル等を設けたものもある。
【０００４】
しかしながら、このような横桟材を設けた取付構造では、昇降傾斜の異なる他の階段に同仕様の支柱５及び横桟材を適用しようとすると、階段の昇降傾斜によっては手摺８と横桟材が上手く平行にならず外観を損なうことがあり、この場合、横桟材を手摺８と平行にするためには、横桟材の支柱５への固定位置を微調整しなければならず、その調整作業がめんどうである。
【０００５】
そのため、近年では、特許文献１に示したように、手摺８を支持している支柱５に支持軸を貫通させ、この支持軸に横桟材を上下方向に回動自在に支持させてなる横桟材の取付構造が提案され、使用されている。
【特許文献１】特開２００４−２５７０８５号
【発明の開示】
【発明が解決しようとする課題】
【０００６】
このような取付構造では、横桟材が回動自在に支持されているため、横桟材の支柱５への固定位置を容易に微調整できる点では優れている。
【０００７】
しかしながら、横桟材を回動自在に支持するには、前記支持軸を横桟材の外側から支柱に貫通させると共に、この支持軸に軸支するように横桟材に貫通孔を開設するか、或いは、支持軸に回動自在な取付部材を介在させたうえで、この取付部材に横桟材を連結して当該横桟材を回動自在に取り付ける構造にしている。
【０００８】
そのため、何れの構造であっても、支持軸が貫通されるために、当該支持軸が外被されてしまい、構造が複雑となるうえ、見栄えが悪いという問題があった。
【０００９】
本発明は、かかる課題を解決することを目的とするもので、支柱に貫通孔を設けたりする必要がなく、構造が簡易で、かつ階段の昇降傾斜に応じて、支柱に見栄えよく横桟材を固着できる横桟材の取付構造を提供する。
【課題を解決するための手段】
【００１０】
上記目的を達成するため、請求項１に係る本発明は、階段の手摺を支持する支柱に止着した固定具を用いて横桟材を受止め固定する横桟材の取付構造であって、上記固定具は、内壁と、中間部を開口させた外壁とを対向して形成し、上方を開放した凹所を有した断面略コ字状に形成された本体部と、前記横桟材を上記凹所に嵌入させた状態で、上記開放部を塞ぐキャップ体とを組み合わせて構成され、固定手段を上記外壁の上記開口より上記支柱に埋入させて、該支柱に固着させる構造にしている。
【００１１】
請求項２に係る本発明は、請求項１において、上記固定具の本体部と、上記キャップ体とは、それぞれの両側終端を対応させて開口させており、上記キャップ体の開口端には、覆片が着脱可能に装着される構造にしている。
【００１２】
請求項３に係る本発明は、請求項１または２において、上記支柱は溝部を形成しており、
上記本体部の内壁には、ネジ導入孔を貫通形成し外方に突出して、上記支柱の溝部に嵌入される突起部を設けた構造にしている。
【発明の効果】
【００１３】
本発明によれば、次のような効果がある。
請求項１に係る本発明によれば、本体部を支柱に固着させ、その本体部の凹所に横桟材を上方から嵌入れ固定手段で固着させる構造であるので、支柱に貫通孔を設ける必要がなく、構造が容易であるうえ、支柱等の強度を弱めることもない。
【００１４】
また、本体部の外壁の中間部を開口しているので、本体部の支柱への固着作業が容易になされ、本体部の凹所に収容した横桟材をキャップ体で被覆する構造なので、横桟材の端部が露見することなく、施工後の見栄えが良く、意匠的効果も高い。
【００１５】
請求項２に係る本発明によれば、請求項１において、固定具の両側終端には、覆片を着脱可能に装着しているので、横桟材の終端を隠蔽することができ、施工後の意匠的効果を一層高めることができる。
【００１６】
請求項３に係る本発明によれば、請求項１または２において、本体部の外壁には、ネジ導入孔を形成した突起部を設け、該突起部を支柱に形成した溝部に嵌入れた状態で本体部を回動させることで容易に傾斜角度が調整でき、更に傾斜角度を調整した後に、突起部のネジ導入孔より固定手段を支柱内に埋入させて安全に固定出来る。
【発明を実施するための最良の形態】
【００１７】
以下、本発明に係る階段手摺の横桟材の取付構造を図面とともに説明する。
【実施例１】
【００１８】
図１〜図４は、本発明に係る横桟材の取付構造を例示した説明図である。
【００１９】
以下、これらの図を参照して説明すると、固定具Ａは、本体部１とキャップ体２とを組み合わせて構成され、本体部１は横桟材４を凹所１０ｂの上方より嵌入れる構造になっており、キャップ体２は、横桟材４を凹所１０ｂに収容させた本体部１の上方に被せる構造になっている。
【００２０】
すなわち、本体部１は、外壁１０、内壁１０’を対向して形成し、上方を開放した凹所１０ｂを有した断面コ字状に形成されており、この外壁１０は、その中間部を切欠させて開口１０ｅを形成している。
また、内壁１０‘には、ネジ導入孔１０ａ，１０ｃを形成し、ネジ導入孔１０ａは内壁１０の外方に突出する突起部１０ｄを貫通している。
支柱５は、それぞれが長手方向には走る溝部５ａを形成した成型材で構成され、階段の踏板９上に所定間隔で立設され、上端は手摺８に固定されている（図６参照）。
このような本体部１によれば、本体部１の内壁１０‘に突出形成している突起部１０ｄを支柱５の溝部５ａに嵌め入れた後、ネジ、釘等の固定手段６を外壁１０の開口１０ｅより突起部１０ｄに貫通形成されたネジ導入孔１０ａに挿入し、さらに支柱５に螺入することで穴部５ｂを形成して支柱５に埋入させて安全に固着できる。
この場合、支柱５に形成する溝部５ａは、本体部１の突起部１０ｄを嵌め入れた状態で回転できる程度の寸法に形成しておけば、本体部１を階段の手摺８の傾斜角度に合うように容易に調整することが出来る。
【００２１】
支柱５は図例のものには限られず、溝部５ａが形成されていないものも使用できることはいうまでもない。このような支柱５を使用する場合には、突起部１０ｄを嵌入できる寸法の穴部をドリルなどで形成しておいてもよい。
【００２２】
このようにして、本体部１を所望の傾斜角度に保持して支柱５に固定してから、本体部１の凹所１０ｂに、上方より横桟材４を嵌入れ、更に、内壁１０’の外側からネジ導入孔１０ｃに向けてビス７等を螺入して、横桟材４を本体部１に一体的に固着することで、横桟材４のズレも防止できる。
なお、図１の例では、固定手段としてネジ６とワッシャ６ａを用いているが、このようなものには限定されない。
【００２３】
一方のキャップ部２は、図２に示すように、本体部１の開放部に被せる凹所２０ａを有した、下方が開放された断面コ字状に形成され、本体部１の開口端１０ｆに弾性係止させて容易に着脱できるようになっている。
したがって、本体部１の上方よりキャップ体２を被せれば、本体部１の開口１０ｅを覆い隠すことができるので、内部に収容された横桟材４やネジなどの固定手段６は外部からは一切見えなくすることが出来る。
【００２４】
このような固定具Ａは、横桟材４の上、下方の終端、中間の繋ぎ部をいずれも支柱５に固着することができ、以下、使用要領とともに説明する。
【００２５】
図２は、階段の下側で横桟材を支柱に固定する場合の使用例を示している。
【００２６】
この場合、本体部１を上記した手順で手摺８に平行に傾斜させて支柱５に固定し、本体部１の凹所１０ｂの下方に向く側の端部に横桟材４の終端４１を位置合わせし、横桟材４を凹所１０ｂに収容させてから、キャップ体２を被せる。
この場合、キャップ体２の開口端１０ｆには、蓋片３を装着することによって、本体部１に収容させた横桟材４の終端４１を隠蔽させることができ、外観も向上する。
【００２７】
図３は、階段の途中で横桟材を繋ぎ止め固定する場合の使用例を示している。
【００２８】
横桟材４は、一定の寸法しかないので、それよりも手摺８の寸法が大きい場合には、横桟材４を途中で繋ぐ必要があるが、このような場合、固定具の本体部１に、上下の横桟材４、４の終端４１，４１を突合せた状態で収容させて支柱５に固着できる。
本体部１に横桟材４，４を固定するため、ビス７が本体部１の内壁１０‘の外方から横桟材４，４に螺入されるが、そのようにして横桟材４，４の繋ぎ合せ部４ａを本体部１に収容固定した後、キャップ体２を被せることで、横桟材４，４の繋ぎ合せ部分４ａが隠蔽される。
【００２９】
図４は、階段の上側で横桟材を支柱に固定する場合の使用例を示している。
【００３０】
この場合、階段の下側の場合とは異なり、本体部１の凹所１０ｂの上方に向く側の端部に、横桟材４の終端４１を位置合わせた状態で、横桟材４を本体部１に収容し、上記と同じようにして固着させ、本体部１の上方からキャップ体２を被せ、更に蓋片３を装着することで、横桟材４の端部４１が隠蔽できる。
【００３１】
図５は、固定具Ａによって、手摺の横桟材を固着した階段の全体構造をしている。
【００３２】
支柱５は階段の踏み板９上に所定間隔で立設され、それぞれの上端を手摺８に固定しており、横桟材５は、手摺８に平行になるように、複数本のものが、固定具Ａを用いて支柱５に固着されている。
本発明の取付構造によれば、以上の要領で、階段の踏み板９の手摺８を支持する支柱５に適宜間隔で本体部１を固着し、それぞれの本体部１に横桟材４の終端４１、繋ぎ部４ａを上記したような要領で固定することによって、手摺８に沿って横桟材４を横架でき、逆の要領を行えば取外しも出来る。
【図面の簡単な説明】
【００３３】
【図１】本発明の要部をなす固定具の本体部と、横桟材の取付要領を示す分解斜視図である。
【図２】横桟材の下方側終端を固定する場合の一実施例を示した使用状態図である。
【図３】横桟材の途中の繋ぎ合わせ部分を固定する場合の使用状態図である。
【図４】横桟材の上方側終端を固定する場合の使用状態図である。
【図５】本発明に係る横桟材の取付構造による施工後の完成状態を示す図である。
【図６】従来の階段の手摺を支持する支柱の構造を示す概略部分説明図である。
【符号の説明】
【００３４】
Ａ      固定具
１      本体部
１０    外壁
１０’  内壁
１０ｂ  凹所
１０ｂ’開口
１０ｅ  開口
２      キャップ体
２０ａ’開口
３      覆片
４      横桟材
４１    端部
５      支柱
６      固定手段
８      手摺
９      階段の踏み板
【図１】
2007085078.tif 000003
【図２】
2007085078.tif 000004
【図３】
2007085078.tif 000005
【図４】
2007085078.tif 000006
【図５】
2007085078.tif 000007
【図６】
2007085078.tif 000008